(57)【要約】【課題】  露地栽培やハウス栽培に適するように、半導体発光素子からの光が周りの環境に直接的に漏れ出すことを低減させるための照光器具、その製造方法及び遮光用クリップを提供する。【解決手段】  複数個の半導体発光素子と電力供給のための電線とが、照光方向に透光性を有する長尺のケーシングに納められ、このケーシングの背後にケーシングの両縁部から背後に漏れる光を遮るためのシェードが設けられた照光器具を提供する。シェードにロープやネットに取り付けるための取付具による、シェードへの圧迫を避けるための手段を設けても良い。また照光器具を照光方向に凹湾曲させて保持し、斜め後方からの視線を強制的に遮る遮光用クリップを提供する。【選択図】図１
2011078411.tif 000002
【特許請求の範囲】
【請求項１】
複数個の半導体発光素子とこの半導体発光素子に電力を供給するための電線とが、照光方向に透光性を有する長尺のケーシングに納められ、このケーシングの背後にケーシングの両縁部から背後に漏れる光を遮るためのシェードが設けられていることを特徴とする、露地栽培やハウス栽培に於けるシェード付き照光器具。
【請求項２】
前記シェードが照光方向にカーブしている、請求項１に記載の露地栽培やハウス栽培に於けるシェード付き照光器具。
【請求項３】
前記シェードに取付具を通すための切欠部を備えている、請求項１に記載の露地栽培やハウス栽培に於けるシェード付き照光器具。
【請求項４】
前記シェードが手で千切れるものである、請求項１に記載の露地栽培やハウス栽培に於けるシェード付き照光器具。
【請求項５】
前記シェードが遮光ネットまたは遮光フィルムである、請求項１に記載の露地栽培やハウス栽培に於けるシェード付き照光器具。
【請求項６】
複数個の半導体発光素子とこの半導体発光素子に電力を供給するための電線とを、照光方向に透光性を有する長尺のケーシングに納め、このケーシングの背後にケーシングの両縁部から背後に漏れる光を遮るためのシェードを取り付ける、露地栽培やハウス栽培に於けるシェード付き照光器具の製造方法。
【請求項７】
前記シェードを照光方向にカーブさせて設ける、請求項６に記載の露地栽培やハウス栽培に於けるシェード付き照光器具の製造方法。
【請求項８】
前記シェードに取付具を通すための切欠部を設ける、請求項６に記載の露地栽培やハウス栽培に於けるシェード付き照光器具の製造方法。
【請求項９】
前記シェードに手切れ性を有するものを用いる、請求項６に記載の露地栽培やハウス栽培に於けるシェード付き照光器具の製造方法。
【請求項１０】
前記シェードに遮光ネットまたは遮光フィルムを用いる、請求項６に記載の露地栽培やハウス栽培に於けるシェード付き照光器具の製造方法。
【請求項１１】
複数個の半導体発光素子とこの半導体発光素子に電力を供給するための電線とが、照光方向に透光性を有し且つ反照光方向に遮光性を有する長尺のケーシングに納められた、露地栽培やハウス栽培に於ける照光器具を、前記透光性を有する側に凹湾曲させて支持するための挟持部を備えると共に支柱やロープなどに取り付けるための取り付け部を備えている、遮光用クリップ。
【発明の詳細な説明】
【技術分野】
【０００１】  本発明は、露地栽培やハウス栽培に用いるための、半導体発光素子を用いた照光器具とその製造方法、及び照光器具に遮光性を獲得させるための遮光用クリップに関する。なお半導体発光素子には、エレクトロルミネッセンス（ＥＬ：ＥｌｅｃｔｒｏＬｕｍｉｎｅｓｃｅｎｃｅ）やレーザーダイオード（Ｌａｓｅｒ  Ｄｉｏｄｅ）がある。本願では半導体発光素子をＬＥＤ（Ｌｉｇｈｔ  Ｅｍｉｔｔｉｎｇ  Ｄｉｏｄｅ）（発光ダイオード）で代表して説明することとする。
【背景技術】
【０００２】  近年、建物内で人工の光を栽培植物に当てて成長を促進させようとする研究開発が盛んである。例えば米国特許６９２１１８２は、オレンジ色の第一ＬＥＤ群と、赤色の第二ＬＥＤ群と、青色の第三ＬＥＤ群とを適切な割合と照光角度とで配列することで、植物成長を強化するための安価で高効率なＬＥＤランプとしたものである。また米国抄録２００１−４７６１８は、基盤上に交互に配電した赤色ＬＥＤと青色ＬＥＤを光源にして、太陽と同様の連続する光を提供すると共に、発光に係る仕事量を制御することを可能にしたものである。ＬＥＤなどの半導体発光素子には、植物の種類に合わせて、各々の植物の生育に好都合な特定波長の光を選択的に用いたり、光の強さや照光時間等を制御したりすることを、容易に行わせ得ると言う特長がある。このようなＬＥＤランプはＬＥＤを集合させたパネルの形態や電球の形態で提供され、いわゆる植物工場の天井や壁面にしっかりと固定される。【０００３】  農作物栽培の歴史を一気に塗り替えそうな勢いの植物工場であるが、これによってこれまで培われて来た露地栽培や小規模なハウス栽培がなくなってしまうわけではない。しかしながら露地栽培やハウス栽培には日照不足と言う大きな問題がある。長雨や曇り続きによって日照不足になると栽培植物に悪い影響が現われる。安定した日照が得られないと、例えば桃農家では桃の実が着かない、着いても実の色付きが悪く糖度が上がらないなどの損害を被る。またトマト栽培では葉が枯れる、裂果になるなどの問題を生ずる。徒長の症状が出るものもある。光線不足は実に大きな問題なのである。現在このような問題を解決して露地栽培やハウス栽培を進化させる必要に迫られている。
【先行技術文献】
【特許文献】
【０００４】
【特許文献１】米国特許第６９２１１８２号公報（図６）
【特許文献２】米国抄録２００１−４７６１８号公報（図１）
【発明の概要】
【発明が解決しようとする課題】
【０００５】  すなわち露地栽培やハウス栽培に最適な、日照不足を補うための設置が容易な照光器具が必要であるが、このようなものはこれまで存在していなかった。そこで上記形態のＬＥＤランプを露地栽培やハウス栽培のために利用しようと思考した。しかしながら植物工場の天井や壁面にしっかりと固定されるタイプのものは、露地栽培やハウス栽培のために必要な時には直ぐに容易に使用出来ると言うようなものではなく適用柔軟性に欠けていた。【０００６】  また一般的にＬＥＤなどの半導体発光素子の発光には指向性がある。とは言うものの砲弾型のように前面の樹脂レンズに向けて発光する一般的なＬＥＤでは、この樹脂レンズで散乱光が発生する場合があり、物によってはＬＥＤの斜め後方からでも強い光を見ることが出来る。従って、日没後や夜明け前にも照光したいのであるが、この際に栽培植物からの反射光は仕方がないにしても、斜め後方から見える、ＬＥＤの樹脂レンズから直接的に出ている光に付いては、これを出来るだけ見えないようにしたいものである。なお露地やハウスから眩しい白色光が漏洩するのも問題であるが、青色光やそれほど眩しくはないにしても赤色光が漏洩する光景は一種異様であると見る向きもある。【０００７】  そこで本発明は、露地栽培やハウス栽培に適した照光器具を提供すると共に、照光時にこの照光器具の斜め後方から見える光を出来るだけ少なくすることを課題とする。
【課題を解決するための手段】
【０００８】  上記課題は、複数個の半導体発光素子とこの半導体発光素子に電力を供給するための電線とが、照光方向に透光性を有する長尺のケーシングに納められ、このケーシングの背後にケーシングの両縁部から背後に漏れる光を遮るためのシェードが設けられていることを特徴とする、露地栽培やハウス栽培に於けるシェード付き照光器具とすることにより達成される。長尺とは数メートルから数十メートルの場合もあれば数十センチの場合もある。これは露地やハウスの状況によるため任意長である。また短尺のものを繋げて長尺のものと為す場合がある。長尺のケーシングに納めた照光器具は植物の枝葉の間やハウスパイプやロープやネットの間を引き回すのに引っ掛かりなどが少ない。従ってＬＥＤランプを電線で繋げたものを裸のまま引き回すよりはずっと扱い易いと言う特長がある。なおケーシングには自由に曲げられるもの、少しだけ湾曲出来るもの、曲げられないものなどがあるが、用途によって自由に選択して良い。半導体発光素子には例えばＬＥＤが用いられる。するとＬＥＤの光によって日照不足解消の一助とすることが出来る。なお本発明の必須要件ではないが、ＬＥＤへの供給電力には商用電源の利用が一般的である。風力発電や小規模水力発電などの農家が自前で得られる電源を用いても良い。スマートグリッド（商標）が普及すれば晴れの地域の太陽光発電電力を雨の地域の本発明の照光器具に供給することが出来るようになろう。【０００９】  この照光器具を露地栽培植物にべた掛けしたり、支柱を立ててその間に渡したロープに持たせたり、農業用ネットを張った上に架けたり、ハウスの柱に掛けるなどして張り、栽培植物の上を覆うだけで使用出来るようになる。植物と植物との間に垂らすような設置も可能である。この照光器具は露地やハウス内に於いて伸張させるのが比較的容易であり、あるいは植物にべた掛けした時の形状が自由になる利点がある。忙しい農作業の中にあって設置も撤去も容易である。なお上述の農業用ネットに添わせた場合では、この長尺の照光器具に農機具が引っ掛かる際には、農業用ネットが一緒に引っ掛かったり先に引っ掛かったりして農業用ネットごと引っ張られるようになるため、農業用ネットはこの照光器具を守るように作用する。この照光器具からは植物に向けてＬＥＤ光が照射されるが、ケーシングの短尺側の両縁部から斜め後方へ漏れた光の内でシェードに掛かる光はシェードによって遮られてしまう。シェードでの遮光の程度は、最大１００パーセントの遮光度からそれよりも低い遮光度まで、必要に応じて設計可能である。【００１０】  複数個のＬＥＤは個々のＬＥＤランプをビニール被覆線等の電線で繋げることで構成することが出来る。樹脂皮膜で覆われた導線を帯状に束ねたフラットコードと呼ばれる電線を用いることが出来る。あるいは表面実装（Ｓｕｒｆａｃｅ  Ｍｏｕｎｔ）によって配線を含んだＬＥＤストリングやＬＥＤマトリクスを構成することが出来る（ＬＥＤマトリクスの場合は２方向に長尺であると言い得る）。その他の方式を採用しても良い。特に露地で用いるものに付いては防水性が付与されていることが望ましい。複数個のＬＥＤは直列接続にする、直列接続されたグループの複数グループを並列接続に���る、等々所要の接続方式を採用すれば良い。またＬＥＤや電線を、延長コネクタ等を用いて、延設可能に構成することが出来る。このようなことは一般的な技術であるため詳しい説明を割愛する。ＬＥＤの発光色は白色に限定されず、一般的な研究成果を採用して６６０ナノメートル波長の赤色ＬＥＤと４６０ナノメートル波長の青色ＬＥＤとをおよそ４対１の割合で混用するなど任意である。ＬＥＤの発光時間や発光パターンを制御し得るように構成することが出来る。直流点灯のほかに例えば４００マイクロセカンドのパルス点灯とする場合がある。このあたりのことは上記特許文献１，２等々の既に開示されている技術や既存の技術が参考になるので、煩雑となるのを避けて更なる説明を省略する。あるいは現在開発中のものや将来登場する技術を利用して良い。このようなＬＥＤを長尺のケーシングに組み込むのである。なおＬＥＤの発光部を直接的に照光対象の植物に向けずともプリズムや、光沢白色やミラーなどの反射板や、光の拡散キャップなどを備えれば、これによって植物を照光することが可能である。なお高出力ＬＥＤを用いる場合には放熱対策を施すと良い。【００１１】  この照光器具を上述したようにハウスパイプやロープや農業用ネットなどに取り付けるには、この照光器具をロープなどに沿わせた所に供給する接着剤、この照光器具がロープなどに接触する部位に巻き付けて両者を固定するための粘着テープ、面ファスナ、針金、針金入りの軟質ビニール紐（ビニールタイ）、インシュロック（登録商標）やビーズバンドなどの結束バンド、目玉クリップなどのクリップ類、ネットフックなどのフック類、スパイラルチューブ等々、任意の取付具を用いれば良い。シェードと粘着テープとの間にロープや農業用ネットなどを挟んで取り付ける方法もある。なお長尺の照光器具ではあるがユニット毎に着脱自在となるように構成すれば、ユニット単位の延設や修理の際の交換が容易である。【００１２】  この照光器具のロープや農業用ネットなどへの取り付けにはシェードの背部を利用することが出来る。しかしながらシェードの背部を利用しない場合では、この照光器具は長尺であるが故に、上述したような粘着テープや針金や結束バンドやネットフックを照光器具にぐるりと掛け回す必要が出て来る。この際にこれ等の取付具でシェードを締め付けて変形させてしまう恐れがある。これを嫌うのであれば、取付具によるシェードへの圧迫を避けるための切欠部をシェードに設けるようにすると良い。この切欠部のある部位に取付具を位置させて締め付けるようにすれば、取付具がシェードを締め付けて変形させてしまうようなことが起こりにくくなる。また切欠部のシェード同士が幾分が重なるような構成として切欠部の隙間が見えないようにするのも良い。何れも遮光性能を高めるのに役立つ。なお取付具でＬＥＤの光を遮ることのないように、切欠部はＬＥＤから外れた部位に設けるのが良い。【００１３】  あるいは前記シェードが手で千切れるものとしても良い。シェードの、取付具を位置させて締め付けたいとする箇所を千切って、取付具を逃がすための切り欠きを設けることが出来る。このためにはシェードの素材に手切れ性のあるものを用いるようにする。例えばアルミ箔との合紙���ポリエチレンクロスが使用可能である。鋏などの道具を必要とせずに手で千切れるので、作業性が良好で便利である。【００１４】  前記シェードが照光方向にカーブしているものとしても良い。カーブには、角が付いて折れる折曲や、緩やかに曲がる湾曲があるが、何れの場合でもシェードが効果的に遮光してくれているように見える。【００１５】  前記ケーシングを、シェードとしての遮光ネットまたは遮光フィルムの内側に取り付けて成るものとしても良い。すなわち遮光ネットや遮光フィルムそのものが前記シェードなのである。遮光ネットには遮光率が例えば４０パーセントのものから１００パーセントのものなど各種あるが、所要のものを用いるようにすれば良い。また遮光ネット以外にも、ポリエチレン製の遮光フィルムなどを利用することが可能である。特開２００７−９２２４５の遮光シートなども参考になる。なおこのような遮光ネットや遮光フィルムを備えた照光器具を、遮光カーテンとして栽培植物に掛け外し自在に設けるようにしても良い。例えばトンネル状のリードパイプを立設し、このリードパイプに沿って遮光カーテンを手動で閉めたり開けたりすることが出来るように取り付けるのである。あるいはこの遮光カーテンの開閉を、モータ駆動の開閉手段を設けることによって自動的に行い得る構成にすると便利である。更に照度計を設けてこの開閉手段の制御を行い得るように構成すれば、日没に合わせて遮光カーテンを閉じたり、日の出に合わせて遮光カーテンを開けたりすると言うような制御が可能になる。日没後の照光に於いては植物工場の技術を利用することが可能である。【００１６】  また上記課題は、複数個の半導体発光素子とこの半導体発光素子に電力を供給するための電線とが、照光方向に透光性を有し且つ反照光方向に遮光性を有する長尺のケーシングに納められた、露地栽培やハウス栽培に於ける照光器具を、前記透光性を有する側に凹湾曲させて支持するための挟持部を備えると共に、支柱やロープなどに取り付けるための取り付け部を備えている、遮光用クリップとすることによっても達成される。ケーシングの反照光方向に遮光性を有する面側が凸湾曲することで、斜め後方からの視線を遮光性を有する面側で受けることが出来る。このために遮光用クリップの挟持部でケーシングを押さえ付けながら保持するようにしている。このようにして遮光用クリップに挟持されたケーシングは、遮光用クリップの取り付け部によって支柱やロープなどに取り付けられるのである。なおこの遮光用クリップに使用する照光器具には、挟持部で押さえ付けられた時に湾曲し得るものを用いるようにする。なお折曲も湾曲に含まれるものとする。【００１７】  露地栽培やハウス栽培は太陽の出没と天候とに従っているが、本発明の照光器具によれば、日照不足の場合には昼間も半導体発光素子を点灯したり日没後や夜明け前に照光を行ったりして不足を補うことが出来る。これにより植物のストレス（疲れ）を軽減し得る。一方で特開平５−２１１８２２のように太陽光をそのまま利用した上で育成環境をコントロールしようと言う発明や、特開平７−７９６４６のように天候や気候の悪影響を受けないように内部に空気圧をかけて展設した屋根で栽培場を覆った農場の発明が��る。これ等ほど大規模ではなくとも、本発明が対象としているごく普通の露地やハウスに於いて、人工光利用型植物工場のような照光管理を行い得るようにすることは十分可能なのである。【００１８】  なお本発明の照光器具をロープや農業用ネットに容易に取り付けられるものとするためには、照光器具に予め、例えばネットフックを取り付けておくようにすると良い。またネットフックをシェードの背面側に取り付けるようにすれば、切欠部がなくとも上述したシェードの変形の問題は生じない。
【発明の効果】
【００１９】  複数個の半導体発光素子を、照光方向に透光性を有する長尺のケーシングに納め、このケーシングの短尺側の両縁部から背後に漏れる光を遮るためのシェードを設けた照光器具は、本発明が初めて提案したものである。また照光器具を照光方向に凹湾曲させて保持して、斜め後方からの視線を強制的に遮る遮光用クリップは、本発明が初めて提案したものである。これにより露地栽培やハウス栽培に於いて、必要があればいつでも直ぐに、簡易に設置したり撤去したりすることが出来る上に、斜め後方から見える光を少なくすることが出来ると言う、本発明ならではの格段の効果を奏する。本発明の産業上の利益には計り知れないものがある。
【図面の簡単な説明】
【００２０】
【図１】第１実施形態の照光器具の説明図である。
【図２】この断面を表わす説明図である。
【図３】この回路を表わす説明図である。
【図４】使用状態の説明図である。
【図５】第２実施形態の照光器具の説明図である。
【図６】第３実施形態の照光器具の説明図である。
【図７】第４実施形態の照光器具の説明図である。
【図８】第５実施形態の照光器具の説明図である。
【図９】第６実施形態の遮光用クリップの説明図である。
【発明を実施するための形態】
【００２１】  本発明は広く半導体発光素子を用いるものであるが、以下に説明する実施形態ではこの内のＬＥＤを用いた例を取り上げる。
【実施例１】
【００２２】  フレキシブルな基板２の上にＬＥＤ２０を位置させて、表面実装によって配線を含んだＬＥＤストリングを形成し、この表裏面をシリコーン樹脂製の、表面側の透光層１０と裏面側の白色層１１とで覆ってテープ状ＬＥＤランプ１と成す。なおこのテープ状ＬＥＤランプ１の複数個を連結可能とすべく、基板２の長手方向の端部にコネクタ２６を設ける。このテープ状ＬＥＤランプ１の白色層１１の裏面に、このテープ状ＬＥＤランプ１の短尺方向の横幅よりも広い横幅を有する黒色のシリコーン樹脂シートを設けて、テープ状ＬＥＤランプ１の両側にシェード１２を形成する。この部位を分かりやすくするために、図１および図２では網線で示した。またこのシェード１２の、テープ状ＬＥＤランプ１の両縁部近傍の相対する箇所に、結束バンドを通すための切欠部１３を設けた。この切欠部１３の対はシェード１２の長手方向の複数箇所に設けられている。ＬＥＤストリングは、図３で示したように、３個のＬＥＤ２０と１個の抵抗器２１とを直列接続したものを１ユニットとして、プラス側の配線２２とマイナス側の配線２３とに接続したものである。ＬＥＤストリングの複数ユニットが並列接続されてテープ状ＬＥＤランプ１が構成されている。そしてプラス側の配線２２は図１で示したテープ状ＬＥＤランプ１のコネクタ２６の接続端子２５に、マイナス側の配線２３は同コネクタ２６の接続端子２４に接続されている。この駆動電源は直流の１２ボルトである。各々のＬＥＤ２０から発する光は透光層１０から照光される。しかしながらテープ状ＬＥＤランプ１の両縁部から斜め後方へ出て行こうとする光はシェード１２によって遮られてしまう。なお白色層１１の裏面にシェード１０を設けずに、代わりに白色層１１の両縁部に別々にシェードを繋げるようにしても良い。あるいは基板２の裏面に白色層１１を設けずに代わりに基板２の裏面を前記シェード１２で直接覆うようにしても良い。【００２３】  本実施例の照光器具を使用している状態の説明図が図４である。ここでは防鳥ネットＮを直接的に果樹Ｔの上からすっぽりと被せるのであるが、この際にこのシェード１２付きテープ状ＬＥＤランプ１を、この透光層１０の側が果樹Ｔに向くように、すなわちシェード１２の側が外側を向くようにして、図示しない結束バンドを切欠部１３に通し、結束バンドで防鳥ネットＮに取り付けるようにするのである。なお結束バンドを切欠部１３に通さずに、シェード１２の外縁部に掛けて防鳥ネットＮに取り付けるのでも良いが、この場合には結束バンドがシェード１２を変形させて遮光性能を幾分か低下させることがある。図４で防鳥ネットＮや果樹Ｔは本発明の要件ではない。
【実施例２】
【００２４】  複数個のいわゆる砲弾型のＬＥＤランプ４をそのリード線４０，４１でビニール被覆の電線４２，４３に極性を合わせて接続し、透明なＰＶＣ製のチューブ３０の中に納めて、チューブ状ＬＥＤランプ３と成す。全てのＬＥＤランプ４はその発する光がほぼ同一方向に向かうような姿勢に整列されている（図５ではＬＥＤランプ４を１個しか描いていないが、他のものもほぼこの向きに合わせている）。なおチューブ３０内でＬＥＤランプ４や電線４２，４３を押さえ付けて動かないようにするには、熱収縮チューブを用いる構成例を上げる。熱収縮チューブとしてはポリオレフィン製のものが比較的に透明度も高くて良い。このチューブ状ＬＥＤランプ３の背面（図５で奥側に相当する部位）に、チューブ状ＬＥＤランプ３の方向に湾曲させたＰＶＣ製の黒色のシェード３１を取り付ける。このシェード３１は、チューブ状ＬＥＤランプ３の短尺方向の横幅よりも大きい横幅を有しており、且つその両縁部がＬＥＤランプ４のレンズの先端部のラインまで覆うように湾曲している。またこのシェード３１両縁部からシェード３１の取り付け箇所の近傍までスリット状の切欠部３２を設け、その端部に円孔３３を形成した。【００２５】  図５ではこの使用状態を併せて示すが、農業用ネットに設けられた補強用のロープＲに本実施形態の照光器具を取り付けるべく添わせ、照光器具とロープＲとをワイヤーＷで結束するのであるが、この際にワイヤーＷでシェード３１を潰すなどして変形させることがないように、ワイヤーＷをシェード３１の両側の切欠部３２に通してから締めるようにするのである。図５ではワイヤーＷが円孔３３に至った状態を表わした。図５でロープＲやワイヤーＷは本発明の要件ではない。このようにしてシェード３１はチューブ状ＬＥＤランプ３の方向の湾曲を保ち、斜め後方へ出て行こうとする光を良く遮ることが出来る。
【実施例３】
【００２６】  フレキシブルな基板２７の上にＬＥＤ２８を位置させ表面実装によって配線を含んたＬＥＤストリングを形成し、これを裏面側となる樹脂製の下ケース５０の凹部にはめ込み、その上に表側となる透明な樹脂製の上ケース５１を凹部が形成されている側から被せて接着してケース入りＬＥＤランプ５と成す。このケース入りＬＥＤランプ５の下ケース５０の背面に手切れ性を有するポリエチレンクロスに成る黒色のシェード５２を取り付ける。このシェード５２はケース入りＬＥＤランプ５の短尺方向の横幅よりも大きい横幅を有している。【００２７】  図６では黒色のシェード５２の両側がケース入りＬＥＤランプ５の近傍まで手で千切られた状態として表わしている。切り裂き部５３の切り裂き断面５４にハッチングを入れて描いた。針金やビニールタイはこの両側の切り裂き部５３に通すようにする。これによってシェード５２を潰すなどして変形させることがなくなる。また実施例２のように切欠部３２や円孔３３を設ける必要がないから製造が楽であり、またユーザーにとっては好みの位置に切り裂き部５３が簡単に設けられるのも大きな利点である。
【実施例４】
【００２８】  ここでは、第１実施形態のテープ状ＬＥＤランプ１でシェード１２を形成していないものを用いる。農業用の遮光ネット６にテープ状ＬＥＤランプ１を通すための通し輪６０を適宜間隔で設けて、ここにテープ状ＬＥＤランプ１を通して止める。ここで用いた遮光ネット６や通し輪６０はポリエチレン製のものであり、通し輪６０は図７で示すように遮光ネット６の経糸（縦糸）上に設けている。【００２９】  遮光ネット６は、ＬＥＤ２０の光がテープ状ＬＥＤランプ１の斜め後方に漏洩するのを阻止するための極めて大きなシェードであると言うことが出来る。なおこれに止まらず、日中にあっても人工光利用型植物工場のような照光管理を行う場合には、遮光ネット６は太陽光遮光手段ともなり、簡易な、人工光利用型露地や人工光利用型ハウスを実現することが出来、露地や小規模なハウスに於いても植物の計画育成が可能になる。
【実施例５】
【００３０】  図８で示すように、着色軟質ＰＶＣシートから網目７０となる部位を切除して農業用ネット７を形成する。この網目７０と網目７０との間に実施例１で用いたＬＥＤ２０と抵抗器２１と配線２２，２３とが載った基板２部分を接着剤で固定し、この上に透明被覆７１をその長手方向の両縁部の接着部７２から気密性を持たせて接着して本実施例の照光器具を得る。図８から見て取れるように全体は殆どフラットであり引っ掛かりが少ないから、直接的に植物に被せる場合にも植物の上に立設したパイプ等による枠体の上に被せる場合にも便利である。また農業用ネット７はＬＥＤ２０の光が斜め後方に漏洩するのを阻止するためのシェードの役割を担う。なお農業用ネット７の代わりに、一般的に工事現場などで用いられている、ポリエチレン等を素材として編まれたフェンスネットなども利用可能である。【００３１】  ところで本実施形態の農業用ネット７は、軟質ＰＶＣシートから網目７０となる部位を切除することにより形成されているが、網目７０を作ることなくそのまま使用することで（図示せず）、ＬＥＤランプと農業用のシートとを一体化した本発明の露地栽培やハウス栽培に於けるシェード付き照光用具を提供することが出来る。
【実施例６】
【００３２】  本実施例は、図９で使用状態を示したが、テープ状ＬＥＤランプ１４をこれに遮光性を付与しつつ、支柱やロープやネットなどに取り付けるためのクリップ８である。このクリップ８は電線等を束ねるために用いられている結束クリップに似た形状のものであって、ナイロン６６製の変形Ω形状の両の腕部８２，８２の各々の端部に球体８３を有する形状のものである。この２つの球体８３，８３を以って腕部８２，８２を捻るようにすると、腕部８２，８２がクロスしてダルマ状リング８０が形成されるが、２つの球体８３，８３が干渉し合うので、腕部８２，８２のクロスした状態は自然には解けなくなるのである。一方、前記ダルマ状リング８０の内周で太い部分の直径は、テープ状ＬＥＤランプ１４の横幅よりも狭いものであるため、この中にテープ状ＬＥＤランプ１４を通すにはテープ状ＬＥＤランプ１４を横幅（短尺）方向に湾曲させる必要がある。すなわちテープ状ＬＥＤランプ１４を透光層１５側に凹湾曲させて通すのであるが、テープ状ＬＥＤランプ１４の位置を確定させるべくダルマ状リング８０の内周に段部８１，８１（挟持部）を設けて、ここで都合良くテープ状ＬＥＤランプ１４の両縁部が掛止され、挟持されるように構成したのである。クリップ８のダルマ状リング８０の内周で細い部分はロープＲに取り付けるための取り付け部８４である。【００３３】  なお本実施例のクリップ８に用いるテープ状ＬＥＤランプ１４は、フレキシブルな基板２９の上にＬＥＤ２００を位置させて、表面実装によって配線を含んだＬＥＤストリングを形成し、この表裏面をシリコーン樹脂製の、表面側の透光層１５と裏面側の黒色層１６とで覆って成るものであり、全体としてフレキシブルなものである。クリップ８によって黒色層１６の面側が凸湾曲し透光層１５の面側が凹湾曲することで、斜め後方からの視線を遮ることが出来る。これが実質的なシェードに当たるのである。【００３４】  本発明は上述した実施形態に限定されず、その思想の範囲内に於いて種々のバリエーションを与えることが出来る。例えば本発明を防虫、防鳥、防風などに用いる農業用ネットに取り付けたものやセットにしたものを提供することが出来、これ等もまた本発明の権利範囲内のものである。また本発明の長手方向の強度を更に高める必要があれば、金属線やカーボンファイバー線などの補強部材をケーシングの長手方向に設けるなどすれば良い。またシェードに切欠部を設ける場合に、手で千切ったりカッターで切り込みを入れたりするための案内線を設けてこれを切欠部と為すことも可能である。また取付具を、シェードを通さずにケーシングを通す方法もあり、これであれば取付具がシェードに直接係わることがない。なお上述した実施形態のＬＥＤの代わりに、例えばレーザーダイオードを用いることが出来る。
【産業上の利用可能性】
【００３５】  本発明は池などの水面上で、あるいは生簀や海洋などの水中で用いることが出来る。水中の動植物に半導体発光素子から発する光を当てるためである。また特定微生物を増殖させて水質浄化を行うために用いることが出来る。また黄色光を発する防蛾灯を構成することが出来る。蛾の害を防いで栽培植物の成長を促進するのである。防虫には黄色光を用いる他に黄緑光などを用いる例がある。なおこのような場合にも照光器具の斜め後方から見える光を出来るだけ少なくすることは重要である。これ等もまた本発明の権利範囲内のものである。本発明はこのように広範な用途を有して大きな産業上の利益をもたらすものとなっている。
【符号の説明】
【００３６】１  ：テープ状ＬＥＤランプ  １０：透光層  １１：白色層  １２：シェード
１３：切欠部  １４：テープ状ＬＥＤランプ  １５：透光層  １６：黒色層
２  ：基板    ２０：ＬＥＤ  ２１：抵抗器  ２２：配線    ２３：配線
２４：接続端子  ２５：接続端子  ２６：コネクタ  ２７：基板  ２８：ＬＥＤ
２９：基板    ２００：ＬＥＤ
３  ：チューブ状ＬＥＤランプ  ３０：チューブ  ３１：シェード  ３２：切欠部
３３：円孔
４  ：ＬＥＤランプ  ４０：リード線  ４１：リード線  ４２：電線  ４３：電線
５  ：ケース入りＬＥＤランプ  ５０：下ケース  ５１：上ケース  ５２：シェード
５３：切り裂き部    ５４：切り裂き断面
６  ：遮光ネット    ６０：通し輪
７  ：農業用ネット  ７０：網目  ７１：透明被覆    ７２：接着部
８  ：クリップ  ８０：ダルマ状リング  ８１：段部  ８２：腕部  ８３：球体
８４：取り付け部
【図１】
2011078411.tif 000003
【図２】
2011078411.tif 000004
【図３】
2011078411.tif 000005
【図４】
2011078411.tif 000006
【図５】
2011078411.tif 000007
【図６】
2011078411.tif 000008
【図７】
2011078411.tif 000009
【図８】
2011078411.tif 000010
【図９】
2011078411.tif 000011